(57)【要約】本発明はＵ型スプリットケースアセンブリ（１０）に関連し、単一のブランク材から形成される略Ｕ型のケース（１２）を備える。複数のディスプレイコンテナ（１４）は、Ｕ型のケース内に連結され、かつ並べられる。Ｕ型のケースは、底パネル（２０）を備えて、折り畳まれ、２つの対向する平行したサイドパネル（１６）は底パネルの対向する端部から延び、短くされた縁部（２２）は底パネルのフロントエッジ部から延びる。複数のディスプレイコンテナはサイドパネルに連結されてＵ型のケース内にディスプレイコンテナを固定する。ディスプレイコンテナはサイドパネル上の切断領域（４０）の使用によりＵ型のケースから切り離し可能である。【選択図】図１
2013509338.tif 000002
【特許請求の範囲】
【請求項１】
製品を輸送および展示するためのスプリットケースシステムであって、
切り離し可能部分を備える、底パネルおよび対の対向する長手方向のサイドパネルを有する略Ｕ型のケースと、
前記Ｕ型のケース内に支持された複数の並んだディスプレイコンテナであって、前記ディスプレイコンテナの各々は、前記切り離し可能部分において、前記Ｕ型のケースの２つの対向するサイドパネルに連結され、かつ前記切り離し可能部分を前記サイドパネルから切り離すと、前記Ｕ型のケースから切り離されることができる、ディスプレイコンテナと
を備える、スプリットケースシステム。
【請求項２】
前記切り離し可能部分は、前記サイドパネルの上方範囲を備える、請求項１に記載のスプリットケースシステム。
【請求項３】
前記ディスプレイコンテナは、前記サイドパネルの前記上方範囲に、接着により連結される、請求項２に記載のスプリットケースシステム。
【請求項４】
前記サイドパネルは、前記底パネルと前記上方範囲との間に切断領域を備える、請求項３に記載のスプリットケースシステム。
【請求項５】
前記切り離し可能部分は、上部の上側端から前記切断領域へ延びる、複数の間隔を置いた分離線を備え、前記分離線は、前記並んだディスプレイコンテナの間で間隔を置かれてあり、前記ディスプレイコンテナを前記Ｕ型のケースから個々に切り離すことを可能にする、請求項４に記載のスプリットケースシステム。
【請求項６】
前記分離線はミシン目の線を備える、請求項５に記載のスプリットケースシステム。
【請求項７】
前記分離線は切り込みを含む、請求項５に記載のスプリットケースシステム。
【請求項８】
前記切断領域は、前記切断領域にて手動による切り離しをガイドするためのガイド位置を備える、請求項４に記載のスプリットケースシステム。
【請求項９】
前記切断領域は、切り離し可能な片を備える、請求項４に記載のスプリットケースシステム。
【請求項１０】
フロントパネルの高さは、前記サイドパネルよりも低い、請求項１に記載のスプリットケースシステム。
【請求項１１】
前記Ｕ型のケースは、単一の打抜ブランク材から形成されている、請求項１に記載のスプリットケースシステム。
【請求項１２】
各サイドパネルは、前記上方範囲と前記底パネルとの間に位置する下方範囲を備え、前記切り離し可能部分は、前記下方範囲と前記上方範囲との間に位置する、請求項１に記載のスプリットケースシステム。
【請求項１３】
前記底パネルから上方に延びる横断方向のフロントパネルをさらに備える、請求項１２に記載のスプリットケースシステム。
【請求項１４】
前記下方範囲の端部から延びるタブをさらに備え、前記タブは前記フロントパネルに連結され、各サイドパネルを前記フロントパネルに固定する、請求項１３に記載のスプリットケースシステム。
【請求項１５】
前記底パネルから上方に延びる横断方向のリアパネルをさらに含む、請求項１３に記載のスプリットケースシステム。
【請求項１６】
前記ディスプレイコンテナは蓋部およびベース部を備え、前記蓋部は前記切り離し可能部分に連結される、請求項１に記載のスプリットケースシステム。
【請求項１７】
前記ディスプレイコンテナの高さは、前記サイドパネルの高さよりも低い、請求項１に記載のスプリットケースシステム。
【請求項１８】
Ｕ型ケースを形成するための平坦なシート材料であって、
前記シートに形成され、底パネルを備える略矩形の構成を有するブランク材と、
前記底パネルの対向する両側の折り畳むことのできるエッジ部から延びる、対向するサイドパネルと、
前記底パネルの前部の折り畳むことのできるエッジ部から延びるフロントパネルであって、前記前部の折り畳むことのできるエッジ部は前記対向する両側の折り畳むことのできるエッジ部に直交し、前記対向するサイドパネルの各々はタブを備え、前記タブは、前記タブと前記対向するサイドパネルの各々の間にあるタブ折り畳み可能エッジ部から延びており、前記対向するサイドパネルは、前記両側の折り畳むことのできるエッジ部に向かって、サイドの連結されていないエッジ部から延びる複数の分離線を備え、前記分離線は、前記対向するサイドパネルの上部を切り離し可能部分に分ける、フロントパネルと
を備える、平坦なシート材料。
【請求項１９】
前記切り離し可能部分を前記Ｕ型のケースから切り離すために、前記対向するサイドパネルの各々に沿って延びている切断領域をさらに備える、請求項１８に記載の平坦なシート材料。
【請求項２０】
スプリットケースシステムを形成する方法であって、
シートから第１のブランク材を切り出すステップであって、前記第１のブランク材は、
前記シートに形成され、底パネルを備える略矩形の構成を有するブランク材と、
前記底パネルの対向する両側の折り畳むことのできるエッジ部から延びる、対向するサイドパネルと、
前記底パネルの前部の折り畳むことのできるエッジ部から延びるフロントパネルであって、前記前部の折り畳むことのできるエッジ部は前記対向する両側の折り畳むことのできるエッジ部に直交し、前記対向するサイドパネルの各々はタブを備え、前記タブは、前記タブと前記対向するサイドパネルの各々の間にあるタブ折り畳み可能エッジ部から延びており、前記対向するサイドパネルは、前記両側の折り畳むことのできるエッジ部に向かって、サイドの連結されていないエッジ部から延びる複数の分離線を備え、前記分離線は、前記対向するサイドパネルを切り離し可能部分に分ける、フロントパネルと、
前記切り離し可能部分を前記サイドパネルから分離することを可能にする、前記サイドパネルに沿った切断領域と、
を備える、ステップと、
前記タブ折り畳み可能エッジ部に沿って上方に、前記タブを、前記サイドパネルに対して直交するまで、折り畳むステップと、
前記対向する両側の折り畳むことのできるエッジ部の各々に沿って上方に、前記対向するサイドパネルの各々を、前記底パネルに対して直交するまで、折り畳むステップと、
前記前部の折り畳むことのできるエッジ部に沿って上方に、前記フロントパネルを、前記底パネルに対して直交するまで、折り畳むステップと、
前記タブを、略Ｕ型のケースを形成するフロントエッジ部に連結するステップと、
前記Ｕ型のケース内に複数のコンテナを配置するステップであって、前記コンテナの各々は蓋部およびベース部を備え、前記ベース部は前記Ｕ型のケースの前記底パネル上に配置され、前記蓋部は、前記対向するサイドパネルに隣接して延びている、ステップと、
前記蓋部の各々の、対向するサイドパネルを、対向する前記切り離し可能部分に連結するステップと、
を含む、方法。
【発明の詳細な説明】
【技術分野】
【０００１】
本出願は、２００９年１０月３０日に出願の、米国特許仮出願第６１／２５６，３３５号の優先権を主張し、その内容は、その全体において参照することにより本明細書に援用される。
【０００２】
本発明は、消費可能な製品の輸送、保存、および展示を提供するためのケースシステムに関連する。より詳細には、本発明は、複数のディスプレイコンテナを除去可能に収容するケースシステムに関連する。
【背景技術】
【０００３】
パッケージ化された物品は、製造場所から販売業者への輸送のための輸送ケースへと移されるのが普通である。このような輸送ケースは、通常、保存および輸送の間の厳しい扱いに耐えるように、十分な一体性を持った波形のファイバーボードから形成されている。輸送または取り扱いの間、輸送ケースは、荷台の上に積み重ねられ、時には、積み上げられる。こうした取り扱いおよび保存の全てにおいて、輸送ケースは、パッケージ化された物品を損傷から保護しなければならない。
【０００４】
輸送ケースの１つのタイプは、複数のディスプレイコンテナを含む。各ディスプレイコンテナは、その中に複数のパッケージ化された物品を収容する。パッケージ化された物品は、製品で満たされた個々の製品パッケージングを含む。例えば、製品パッケージングは、バッグ、ポーチ、またはボックスであってもよい。製品のパッケージングは、様々な製品、例えば、非消耗品、または、ばらの菓子製品（ｌｏｏｓｅ  ｃｏｎｆｅｃｔｉｏｎａｒｙ）等の消耗品を含んでよい。ディスプレイコンテナは、内部でパッケージ化された物品の保護を提供する。さらに、ディスプレイコンテナはまた、店頭での、パッケージ化された物品の表示および販売に役立ってもよい。
【０００５】
ディスプレイコンテナは、販売者から小売店へと輸送される。販売者は、個々の店または店頭の注文に応じる。注文は輸送ケース全体またはその一部を含み得る。必要とするディスプレイコンテナの数が輸送ケース全体よりも少ない場合には、販売者は輸送ケースを開き、注文されたディスプレイコンテナの数を取り出して、必要な数を店に輸送する。店はその量のディスプレイコンテナを受け取り、コンテナを棚に置く。消費者は各ディスプレイコンテナから、所望の数のパッケージ化された物品を取り出す。
【０００６】
消耗品の保護が重要である一方で、輸送ケースとディスプレイコンテナとの二重包装にてしばしば無駄な材料が存在する。これは消耗品の輸送コストを増加させ、購入者にかかる、パッケージングのコストに影響を与える。
【発明の概要】
【発明が解決しようとする課題】
【０００７】
それゆえ、製品を輸送および保存するのに必要とされる、材料の無駄な量を低減してパッケージングする、輸送ケースおよび製品ディスプレイコンテナを提供し、ならびに、内部にあるパッケージ物品および消耗品の保護を提供することが所望される。
【課題を解決するための手段】
【０００８】
本発明は、製品を輸送および展示するためのスプリットケースシステムに関する。このスプリットケースシステムは、Ｕ型のケース、およびそれに連結される複数の並んだディスプレイコンテナを含む。Ｕ型のケースは底パネル、対の対向する長手方向のサイドパネル、および横断方向のフロントパネルを有する。横断方向のフロントパネルは底パネルから上方に延びる。サイドパネルは、切り離し可能部分を含む。複数の並んだディスプレイコンテナはＵ型のケース内において支持される。ディスプレイコンテナの各々は、切り離し可能部分において、Ｕ型のケースの２つの対向するサイドパネルに連結される。ディスプレイコンテナは、切り離し可能部分をサイドパネルから切り離すと、Ｕ型のケースから切り離し可能である。
【０００９】
さらに、本発明は、シートに形成されるブランク材を含むＵ型のケースを形成するための平坦なシート材料に関する。ブランク材は、底パネルと、前記底パネルの対向する両側の折り畳むことのできるエッジ部から延びる、対向するサイドパネルと、前記底パネルの前部の折り畳むことのできるエッジ部から延びるフロントパネルと、を備える略矩形の構成を有する。前記前部の折り畳むことのできるエッジ部は前記対向する両側の折り畳むことのできるエッジ部に直交する。前記対向するサイドパネルの各々はタブを備え、前記タブは、前記タブと前記対向するサイドパネルの各々の間にあるタブ折り畳み可能エッジ部（ｔａｂ  ｆｏｌｄａｂｌｅ  ｅｄｇｅ）から延びる。前記対向するサイドパネルは、前記両側の折り畳むことのできるエッジ部に向かって、サイドの連結されていないエッジ部（ｓｉｄｅ  ｕｎａｔｔａｃｈｅｄ  ｅｄｇｅ）から延びる複数の分離線を備える。前記分離線は、前記対向するサイドパネルの上部を切り離し可能部分に分ける。さらに、前記切り離し可能部分を前記Ｕ型のケースから切り離すために、前記対向するサイドパネルの各々に沿って延びている切断領域を備えることができる。
【００１０】
加えて、本発明は、スプリットケースシステムを形成する方法に関し、シートから第１のブランク材を切り出すステップを含む。前記第１のブランク材は、前記シートに形成されるブランク材を含み、前記ブランク材は、底パネルと、前記底パネルの対向する両側の折り畳むことのできるエッジ部から延びる、対向するサイドパネルと、前記底パネルの前部の折り畳むことのできるエッジ部から延びるフロントパネルとを備える略矩形の構成を有する。前記前部の折り畳むことのできるエッジ部は前記対向する両側の折り畳むことのできるエッジ部に直交し、前記対向するサイドパネルの各々はタブを備え、前記タブは、前記タブと前記対向するサイドパネルの各々の間にあるタブ折り畳み可能エッジ部から延びており、前記対向するサイドパネルは、前記両側の折り畳むことのできるエッジ部に向かって、サイドの連結されていないエッジ部から延びる複数の分離線を備え、前記分離線は、前記対向するサイドパネルを切り離し可能部分に分け、前記切り離し可能部分を前記サイドパネルから分離することを可能にする、前記サイドパネルに沿った切断領域を備える。次に、前記タブ折り畳み可能エッジ部に沿って上方に、前記タブを、前記サイドパネルに対して直交するまで、折り畳むステップを含む。さらに、前記対向する両側の折り畳むことのできるエッジ部の各々に沿って上方に、前記対向するサイドパネルの各々を、前記底パネルに対して直交するまで、折り畳むステップ、および前記前部の折り畳むことのできるエッジ部に沿って上方に、前記フロントパネルを、前記底パネルに対して直交するまで、折り畳むステップを含む。前記タブを、略Ｕ型のケースを形成するフロントエッジ部に連結するステップを含む。前記Ｕ型のケース内に複数のコンテナを配置するステップであって、前記コンテナの各々は蓋部およびベース部を備える、ステップを含む。前記ベース部は前記Ｕ型のケースの前記底パネル上に配置され、前記蓋部は、前記対向するサイドパネルに隣接して延びている。最後に、前記蓋部の各々の、対向するサイドパネルを、対向する前記切り離し可能部分に連結するステップを含む。
【図面の簡単な説明】
【００１１】
【図１】図１は本発明のＵ型ボードスプリットケースアセンブリの前面斜視図である。
【図２】図２は図１のＵ型ボードスプリットケースアセンブリの側面斜視図である。
【図３】図３は図１のＵ型コンテナを形成するために用いられる打抜ブランク材の上面平面図である。
【図４】図４は図１のＵ型スプリットケースアセンブリの側面平面図である。
【図５】図５は図１のＵ型ボードスプリットケースアセンブリの上面平面図である。
【図６】図６は図１のディスプレイコンテナの蓋部を形成するために用いられる打抜ブランク材の上面平面図である。
【図７】図７は図１のＵ型ボードスプリットケースアセンブリの側面斜視図であり、ディスプレイコンテナはＵ型のケースから切り離され、１つのディスプレイコンテナはそこから切り離されている。
【図８】図８は図１のＵ型ボードスプリットケースアセンブリの前面斜視図であり、ディスプレイコンテナはＵ型のケースから切り離され、１つのディスプレイコンテナはそこから切り離されている。
【発明を実施するための形態】
【００１２】
本発明は、複数のパッケージ化された物品を輸送、保存、分配、陳列するためのＵ型ボードスプリットケースアセンブリまたはシステムを提供する。アセンブリはＵ型ケース、およびそのケースに連結される複数の並んだディスプレイコンテナを備える。複数の並んだディスプレイコンテナはＵ型ケース内に支持される。Ｕ型ケースは切り離し可能部分を有する対のサイドパネルを備えることができる。ディスプレイコンテナの各々は、切り離し可能部分において、対の対向するサイドパネル（ｏｐｐｏｓｅｄ  ｓｉｄｅ  ｐａｎｅｌ）に連結される。ディスプレイコンテナは、切り離し可能部分をサイドパネルから切り離す場合に、Ｕ型ケースから切り離し可能である。
【００１３】
図１〜図８を参照して、本発明のＵ型ボードスプリットケースアセンブリ１０を示す。Ｕ型ボードスプリットケースアセンブリ１０は、略Ｕ型ケース１２、およびＵ型ケース１２に連結される複数の並んだディスプレイコンテナ１４を備える。本発明のＵ型アセンブリ１０は、Ｕ型ケース１２およびディスプレイコンテナ１４を形成するために必要とされる材料を低減する。
【００１４】
Ｕ型ケース１２は、切り離し可能部分５４を備え、これにより、この切り離し部分５４をＵ型ケース１２から切り離した場合に、個々のディスプレイコンテナ１４を取り除くことができる。図１は、Ｕ型ケース１２の前端部２１を示し、この前端部は、フロントパネル２２、すなわち、ボトムパネル２０から延び、かつ２つの対向するサイドパネル１６の間に延びる縁部を備える。フロントパネル２２の高さは、サイドパネル１６よりも短い。フロントパネル２２は、ディスプレイコンテナ１４が残りのＵ型ケース１２から切り離されると、ディスプレイコンテナ１４のための止め部（ｓｔｏｐ）として機能する。
【００１５】
図２は、Ｕ型ケース１２の後端部２４を示す。Ｕ型ケース１２の後端部２４は、２つのサイドパネル１６の、２つの連結されていない後側端部２３ａ、２３ｂ、ならびに、２つのサイドパネル１６の間に延びる底パネル２０の、中央の連結されていない端部２３ｃを有する、連続した連結されていない側端部２３によって画定された開口端部である。好ましくは、後端部２４は、底パネル２０から延びる縁部またはパネルを含まない。しかしながら、リアパネル８０は、底パネル２０から上方に延び、かつサイドパネル１６の間に延びてよい。リアパネル８０は、構造的に、フロントパネル２２に類似し、タブ５０を用いてサイドパネル１６に連結される。
【００１６】
図３を参照すると、本発明のＵ型ケース１２を形成するために用いられる平坦なシートの打抜ブランク材を示す。図３は、単一のピースの材料から切り出されたＵ型ケース１２を示す。底パネル２０は矩形であり、対向するサイドパネル１６は、底パネル２０の長さ（Ｌ）に沿って、底パネル２０の２つの対向する両側の折り畳むことのできるエッジ部（ｏｐｐｏｓｉｎｇ  ｓｉｄｅ  ｆｏｌｄａｂｌｅ  ｅｄｇｅ）１８、１９から延びる。フロントパネル２２は、サイドパネル１６に直交する幅（Ｗ）に沿って、底パネル２０の前部の折り畳むことのできるエッジ部（ｆｒｏｎｔ  ｆｏｌｄａｂｌｅ  ｅｄｇｅ）４４から延びている。前部の折り畳むことのできるエッジ部４４とは反対側のエッジ部は、連結されていないままの、後部カットエッジ部（ｂａｃｋ  ｃｕｔ  ｅｄｇｅ）２３である。
【００１７】
フロントパネル２２の長さは、底パネル２０の幅（Ｗ）であり、前部の折り畳むことのできるエッジ部４４から前部の連結されていないエッジ部５６に延びる。フロントパネル２２は、前部の連結されていない上端部５６に向かってテーパー状となって示されている。前部のパネルをテーパー状にすることが所望され得る一方で、それは必須の特徴というわけではない。フロントパネル２２は、前部の折り畳むことのできるエッジ部４４および３つの連結されていないカットエッジ部（５６、５７、５８）を有する。フロントパネル２２の幅または高さ（Ｆ）は、サイドパネル１６の幅または高さ（Ｓ）よりも短い。
【００１８】
対の対向するサイドパネル（ｏｐｐｏｓｅｄ  ｓｉｄｅ  ｐａｎｅｌ）１６は、左右対称となる。サイドパネル１６の各々は、略矩形であり、対向する両側の折り畳むことのできるエッジ部１８、１９は、材料が繋がっていることによって、底パネル２０に連結される。サイドパネル１６の長さは、底パネル２０の長さ（Ｌ）に類似する。サイドパネル１６の幅（Ｓ）は、底パネル２０の幅（Ｗ）よりも短い。上端部３０は、対向する両側の折り畳むことのできるエッジ部１８、１９からのサイドパネル１６の両側端である。上端部３０はまた、サイドパネル１６の長さに沿って連結されていない。後部エッジ部２３は、後部サイドエッジ部２３ａ、２３ｂ、および中央の後部エッジ部２３ｃを含む。サイドパネルフロントエッジ部４６は、連結されていない部分４８および連結されているエッジ部５２を含む。連結されているエッジ部５２は、連結されているエッジ部５２からの外側方向突出部であるタブ５０に連結される。図３は、平方正方形パネルとしてタブ５０を示す。タブ５０は、図１に示すように、接着剤または他の機械的連結機構の使用によって、サイドパネル１６をフロントパネル２２に連結するために用いられる。タブ５０は、サイドパネル１６から延び、平行し、フロントパネル２２から間隔が置かれている。
【００１９】
さらに、図４を参照すると、対のサイドパネル１６は、上方範囲（上側の広がり部分、ｕｐｐｅｒ  ｅｘｔｅｎｔ）３４、下方範囲（下側の広がり部分、ｌｏｗｅｒ  ｅｘｔｅｎｔ）４２、およびそれらの間の切断領域４０を含む。上方範囲３４、下方範囲４２、および切断領域４０は、サイドパネル１６に沿って延びる。上方範囲３４は、１つの切り離し可能部分５４であってよく、あるいは、好ましくは、上方範囲３４は、分離線３８によって、複数の切り離し可能部分５４へと分けることができる。図４に示すように、各分離線３８は、切断領域４０を介して、サイドパネル１６の連結されていない上端部３０から、切断領域４０のベース部４１へと延びる。分離線３８は、並んだディスプレイコンテナ１４の間で間隔が置かれており、図１、図２、図７、および図８に示すように、Ｕ型ケースからディスプレイコンテナ１４を個別に取り除くことを可能にする。分離線３８により、Ｕ型ケース１２内の残りのディスプレイコンテナ１４から、ディスプレイコンテナ１４が個々に取り除かれることを可能にする。分離線３８は、切り込み（スリット）、ミシン目、脆弱部分、型抜き等、サイドパネル１６を分離するための任意の機構を含んでよい。切り離し可能部分５４の各々は、サイドパネル１６の切り離し可能部分５４の各々をディスプレイコンテナ１４に連結するために用いられる内部表面上に接着剤３６を有する。このように、上方範囲３４は、ディスプレイコンテナ１４に連結され、他方で下方範囲４２はディスプレイコンテナ１４に連結されない。
【００２０】
サイドパネル１６は、切断領域４０を含む。切断領域４０は、切り離し可能部分５４を下方範囲４２から分離するための機構を含んでよい。切断領域４０は、脆弱部分、目打ち部分、プルタブ、または他の機械的な分離機構を含んでよい。好ましくは、切断領域４０は、ディスプレイコンテナ１４またはその中にある内容物に損傷を与えることなく、ディスプレイコンテナ１４をＵ型ケース１２から分離するために、サイドパネル１６の長さに亘っている、特定の領域内の、手動の切断にてユーザをガイドする、ガイド位置４３を含み得る領域である。切り離し可能部分５４はこのように、分断されて、下方範囲４２から分離される。さらに、個々のディスプレイコンテナ１４は、切り離し可能部分５４を互いに切り離した後に、Ｕ型ケース１２から切り離されるかまたは分断され、ディスプレイコンテナ１４は次いで、Ｕ型ケース１２内から個々に取り除かれることができる。サイドパネル１６の切り離し可能部分５４のみが、切り離し可能部分５４がＵ型ケース１２から解放可能に切り離された後、ディスプレイコンテナ１４に連結されたままである。
【００２１】
Ｕ型ケース１２は、底パネル２０の内部表面に向かって、サイドパネル１６を折り畳むことによって組み立てられる。サイドパネル１６は、対向する両側の折り畳むことのできるエッジ部１８、１９において折り畳まれ、底パネル２０と直交し、互いに平行しているサイドパネル１６を起こす。タブ５０は、連結されたエッジ部５２において内側に折り畳まれて、タブ５０は、サイドパネル１６に直交し、かつ底パネル２０に直交する。フロントパネル２２は、前部の折り畳むことのできるエッジ部４４に沿って折り畳まれて、フロントパネル２２は、底パネル２０およびサイドパネル１６に直交する。タブ５０は、外部表面上に接着剤を含み得る。フロントパネル２２は、接着剤を用いてタブ５０に連結される。フロントパネル２２の内部表面３５は、タブ５０の外部表面と同延（ｃｏｅｘｔｅｎｓｉｖｅ）であり、それらの表面は、図１に示すように、共に接着される。組み立てられたＵ型ケース１２は、その中にディスプレイコンテナ１４を受け取るための、内部キャビティを提供する。
【００２２】
Ｕ型ケース１２は、図３に示すように、複数の個々のディスプレイコンテナ１４を収容するように構成される。ディスプレイコンテナ１４は、形が矩形であってよく、かつベース部２６および蓋部２８を備えてよい。図２は、ベース部２６および蓋部２８を含む、ディスプレイコンテナ１４の側面全体を露出した、Ｕ型ケース１２の後端部（ｂａｃｋ  ｅｎｄ）２４を示す。サイドパネル１６の露出された上端部（ｔｏｐ  ｅｄｇｅ）３０が、運搬装置またはケースの積み重ねを妨げないように、ディスプレイコンテナ１４は、サイドパネル１６の上端部３０の上方に僅かに延びている。サイドパネル１６の高さ（Ｓ）は、ディスプレイコンテナ１４の高さ（Ｈ）よりも短い。しかしながら、図４に示すように、アセンブリ１０の輸送および保存の間に生じる損傷からディスプレイコンテナを保護するために、延長上部７６が、ディスプレイ蓋部の高さよりも高くなるように、上部３２が延びていることは本発明の範囲内である。各ディスプレイコンテナの蓋部２８の上部（ｕｐｐｅｒ  ｐｏｒｔｉｏｎ）３２と、サイドパネル１６の切り離し可能部分５４とは連結される。ディスプレイコンテナ１４の外部表面３３と、対の対向する（両側の）サイドパネル１６の切り離し可能部分５４の内部表面３５は、接着剤３６、仕付け（ｔａｃｋｉｎｇ）、または他の機械的連結機構の使用により共に固定される。
【００２３】
図６は、蓋部２８を、ディスプレイコンテナ１４に形成するために用いられる平坦なシートの打抜ブランク材を示す。蓋部２８は、上部蓋パネル６０および２つの依存型の（ｄｅｐｅｎｄｉｎｇ）サイドウィングパネル６２を備える。上部蓋パネル６０は、切り込まれ、連結されていない２つのより短いエッジ部６４を含んで矩形であり、２つの対向するエッジ部６６は、上部蓋パネル６０の長さに沿っている。各サイドウィング６２は互いに同一である。各サイドウィング６２は大きな矩形のパネルであり、折られたエッジ部６６に沿って、底パネル６０に連結されている。サイドウィング６２は、上部蓋パネル６０のいずれかの側上の上部蓋パネル６０の長さ（Ａ）を越えて延び、延長ウィング６８、６９を画定する。各延長ウィング６８、６９の幅（Ｅ）は、上部蓋６０の幅（Ｂ）の半分以下である。このように、ディスプレイ蓋部２８が組み立てられた場合、両側の延長ウィング６８、６９は重ならない。これは、ディスプレイ蓋部２８を形成するのに必要とされる材料を低減するのに役立つ。各サイドウィング６２は、取り外し可能部分８２を含み、これは、蓋部２８をベース部２６に連結するために、その上に接着剤を有する。
【００２４】
ディスプレイ蓋部２８は、両側の折られるエッジ部（ｏｐｐｏｓｉｎｇ  ｆｏｌｄｅｄ  ｅｄｇｅ）６６に沿って、サイドウィング６２を折ることによって組み立てられる。サイドウィング６２は、上部蓋パネル６０に直交し、折り畳まれて組み立てられた場合に、互いに平行する。延長ウィング６８、６９は、延長ウィングの折られるエッジ部７０、７１に沿って折られる。折られて、組み立てられた場合に、各延長ウィング６８、６９は、サイドウィング６２の中央部分６７に直交し、上部蓋パネル６０に直交する。概して、組み立てられた形状は、上部蓋パネル６０の反対側の１つの開口端部を有する矩形の箱である。開口端部は、折られて組み立てられた場合に、矩形の開口部を形成する、連結されていないサイドウィングエッジ部７２によって画定される。
【００２５】
ディスプレイ蓋部２８の開口端部は、ディスプレイベース部２６の代わりに配置されて、例えば図２に示すように、糊などの接着剤の使用によってそこに連結される。ディスプレイベース部２６は、従来の構成の、矩形のトレイ様の構造である。さらに、図１は、折られて組み立てられた場合に、ディスプレイ蓋部２８が、間隔を置いた延長ウィング６８、６９を有して、スペース７４を規定していることを示す。延長ウィング６８、６９は適切な場所に固定されて、２つの両側の（対向する）延長ウィング６８、６９を、切り離し可能部分５４に連結することによって共に連結される。切り離し可能部分５４は、延長ウィング６８、６９の外部表面に亘って延び、延長ウィング６８、６９を共に固定する。
【００２６】
ディスプレイコンテナ１４は、複数のパッケージ化された物品をその中に収容する。パッケージ化された物品は、例えば、バッグ、ボックス、またはポーチなどの個々の製品パッケージングを含んでよい。パッケージ化された物品は、製品で満たされ、製品は非消耗品または消耗品を含んでよい。消耗品は、ばらの（ｌｏｏｓｅ）菓子製品を含んでよい。蓋部２８は取り除かれ、ベース部２６はディスプレイトレイとして機能し、店の棚において、パッケージ化された物品を共に保持する。
【００２７】
図７および図８を参照すると、いったんＵ型ボードスプリットケースアセンブリ１０が目的地、例えば販売者に輸送され、ここで完全なケース未満がさらに輸送されることが所望される場合、切断領域４０が利用され、切り離し可能部分５４は残りのＵ型ケース１２から切り離される。切り離し可能部分５４は、延長ウィング６８、６９に連結されたままである。切り離し可能部分５４のＵ型ケース１２からの切断により、ディスプレイコンテナ１４はＵ型ケース１２から切り離されることができる。個々のディスプレイコンテナ１４は、図７および図８に示すように、Ｕ型ケース１２から取り外し可能である。
【００２８】
Ｕ型ボードスプリットケースアセンブリ１０の１つの使用は、角度が付けられたスライドトレイ運搬装置を有する。切り離し可能部分５４がサイドパネル１６からいったん切り離されると、ディスプレイコンテナ１４はまた、サイドパネル１６からも切り離されて、Ｕ型ボードケース１２内にゆるく（ｌｏｏｓｅｌｙ）含まれる。Ｕ型ボードスプリットケースアセンブリ１０は、角度が付けられたスライドトレイ運搬装置上に配置されることができ、アセンブリ１０は、前端部（ｆｒｏｎｔ  ｅｎｄ）２４に向かって角度が付けられて、前端部２４は後端部（ｂａｃｋ  ｅｎｄ）２４よりも低い。残りのディスプレイコンテナは、ディスプレイコンテナ１４がＵ型ケース１２内から取り除かれると、フロントパネル２２のほうに向かって前方に移動する。図７は、ディスプレイコンテナ１４が並べられ直立した（ｕｐｒｉｇｈｔ）ままの状態を示している。というのも、Ｕ型ケース１２および下方範囲４２は、Ｕ型ケース１２内に、ディスプレイコンテナ１４のためのサポートおよびガイドを提供するからである。さらに、図８はフロントパネル２２が止め部（ｓｔｏｐ）としての役割を果たし、ディスプレイコンテナ１４がＵ型ケース１２からスライドして外に出ないようにすることを示す。
【００２９】
本明細書において、好ましい実施形態を記載しており、様々な変更が、本発明の想定される範囲から逸脱することなくなされてよいことはここで理解されるべきである。従って、本明細書に記載された好ましい実施形態は、限定というよりも例示のためのものとしてみなされ、本発明の真なる範囲は添付の特許請求の範囲において説明される。
【図１】
2013509338.tif 000003
【図２】
2013509338.tif 000004
【図３】
2013509338.tif 000005
【図４】
2013509338.tif 000006
【図５】
2013509338.tif 000007
【図６】
2013509338.tif 000008
【図７】
2013509338.tif 000009
【図８】
2013509338.tif 000010
【国際調査報告】
2013509338.tif 000011
2013509338.tif 000012
2013509338.tif 000013